【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
第１のノードにおける通信の方法であって、
第２のノードから第１のパケットを受信することと、
前記第１のパケットが、応答パケットを要求する、第１のトランザクションに関連付けられたクエリパケットであると決定することと、
前記第１のノードが、前記第１のパケットに関連付けられた第１のネクストホップノードであると決定することと、
前記クエリパケットがローカル探査のための指示を含むと決定することと、
前記クエリパケットがローカル探査のための指示を含むと決定することに応答して、事前構成された時間期間Ｔの間、前記第１のパケットをさらにルーティングすることを遅延させることと、前記事前構成された時間期間Ｔ中に、ローカル探査ノードからの、前記クエリパケットに対する応答パケットをリッスンすることと
を備える、方法。
【請求項２】
前記第１のパケットが前記クエリパケットであるという前記決定は、下位レイヤにおいて実行され、ここにおいて、前記下位レイヤが、物理（ＰＨＹ）レイヤ、媒体アクセス制御（ＭＡＣ）レイヤ、またはリンクレイヤである、請求項１に記載の方法。
【請求項３】
前記第１のトランザクションに関連付けられた応答パケットが別のノードによって送信されるかどうかを決定することと、
前記第１のトランザクションに関連付けられた前記応答パケットが前記別のノードによって送信されないと決定したことに応答して、前記第１のパケットをさらにルーティングすること、または
前記第１のトランザクションに関連付けられた前記応答パケットが前記別のノードによって送信されると決定したことに応答して、前記第１のパケットをドロップすること
をさらに備える、請求項１に記載の方法。
【請求項４】
前記クエリパケットが、
クエリの指示と、
前記第１のネクストホップノードの少なくとも１つの第１のアドレスと、
ノードのグループの少なくとも１つの第２のアドレスと
を含み、
ここにおいて、前記第１のパケットが前記クエリパケットであるという前記決定は、前記クエリの前記指示に基づき、
ここにおいて、前記第１のノードが前記第１のネクストホップノードであるという前記決定は、前記第１のアドレスに基づき、
ここにおいて、前記別のノードがノードの前記グループ中にある、
請求項３に記載の方法。
【請求項５】
前記応答パケットが、
応答の指示と、
前記第１のトランザクションの指示と
を含み、
ここにおいて、前記第１のトランザクションに関連付けられた前記応答パケットが送信されるどうかの前記決定は、受信された下位レイヤパケットが応答の前記指示と前記第１のトランザクションの前記指示とを含んでいるかどうかを決定することに基づいて行われる、
請求項３に記載の方法。
【請求項６】
下位レイヤにおいて、前記第１のノードが、前記第１のパケット含まれる上位レイヤパケットに関連付けられた前記第１のネクストホップノードであると決定することをさらに備える、請求項１に記載の方法。
【請求項７】
少なくとも１つの第２のパケットを受信することを試みることと、
前記少なくとも１つの第２のパケットを受信したことに応答して、前記少なくとも１つの第２のパケットが、前記第１のトランザクションに関連付けられた応答パケットを含むかどうかを決定することと、
前記少なくとも１つの第２のパケットを受信しなかったことに応答して、または、前記少なくとも１つの第２のパケットが、前記第１のトランザクションに関連付けられた応答パケットを含まないと決定したことに応答して、前記第１のパケット中に含まれる前記上位レイヤパケットを上位レイヤに送ること、または
前記少なくとも１つの第２のパケットが、前記第１のトランザクションに関連付けられた応答パケットを含むと決定したことに応答して、（ａ）前記第１のパケット中に含まれる前記上位レイヤパケットを前記上位レイヤに送ることを控えること、または、（ｂ）前記上位レイヤから受信された応答パケットを前記第２のノードに送ることを控えること
をさらに備える、請求項６に記載の方法。
【請求項８】
前記少なくとも１つの第２のパケットを受信することを前記試みることが、前記事前構成された時間期間Ｔ中で実行され、前記方法は、前記第１のノードが前記第１のネクストホップノードであると決定したことに応答して、前記下位レイヤにおいて、前記事前構成された時間期間Ｔ中に前記第１のパケットをバッファすることをさらに備える、請求項７に記載の方法。
【請求項９】
前記第１のパケットが第１のチャネル上で受信され、ここにおいて、前記少なくとも１つの第２のパケットを受信することを前記試みることが、前記第１のチャネル上で実行される、請求項７に記載の方法。
【請求項１０】
前記上位レイヤにおいて前記上位レイヤパケットを受信すると、前記上位レイヤパケットに関連付けられた第２のネクストホップノードを決定することと、
前記下位レイヤにおいて、前記上位レイヤパケットを第３のパケット中に含めることと、
前記上位レイヤパケットに関連付けられた前記第２のネクストホップノードに前記第３のパケットを第２のチャネル上で送信することと
をさらに備える、請求項９に記載の方法。
【請求項１１】
通信のための装置であって、前記装置が第１のノードであり、
メモリと、
前記メモリに結合されかつ先行する請求項のうちのいずれか一項に記載の方法を実行するように構成された少なくとも１つのプロセッサと
を備える、装置。
【請求項１２】
ノードにおける通信の方法であって、
応答パケットを要求する、第１のトランザクションに関連付けられたクエリパケットを構築することと、ここにおいて、前記クエリパケットは、ローカル探査のための指示と、前記ターゲット要求に関するネクストホップノードのネクストホップアドレスを備える前記ターゲット要求のための指示とを含み、
複数のローカルノードと共有されるチャネル上で前記クエリパケットを送信することと
を備える、方法。
【請求項１３】
前記クエリパケットが、
クエリの指示と、
前記第１のトランザクションの指示と、
前記ターゲット要求に関連付けられたネクストホップノードの少なくとも１つの第１のアドレスと、
前記ローカル探査に関連付けられたノードのグループの少なくとも１つの第２のアドレスと
を含む、請求項１２に記載の方法。
【請求項１４】
通信のための装置であって、前記装置がノードであり、
メモリと、
前記メモリに結合されかつ請求項１２または請求項１３に記載の方法を実行するように構成された少なくとも１つのプロセッサと
を備える、装置。
【手続補正２】
【補正対象書類名】明細書
【補正対象項目名】０１２８
【補正方法】変更
【補正の内容】
【０１２８】
[00144]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］  第１のノードにおける通信の方法であって、
第２のノードから第１のパケットを受信することと、
前記第１のパケットが、応答パケットを要求する、第１のトランザクションに関連付けられたクエリパケットであると決定することと、
前記第１のノードが、前記第１のパケットに関連付けられた第１のネクストホップノードであると決定することと、
前記クエリパケットがローカル探査のための指示を含むと決定することと、
前記第１のパケットをさらにルーティングすることを遅延させることと
を備える、方法。
［Ｃ２］  前記第１のパケットが前記クエリパケットであるという前記決定は、下位レイヤにおいて実行され、ここにおいて、前記下位レイヤが、物理（ＰＨＹ）レイヤ、媒体アクセス制御（ＭＡＣ）レイヤ、またはリンクレイヤである、Ｃ１に記載の方法。
［Ｃ３］  前記第１のトランザクションに関連付けられた応答パケットが別のノードによって送信されるかどうかを決定することと、
前記第１のトランザクションに関連付けられた前記応答パケットが前記別のノードによって送信されないと決定したことに応答して、前記第１のパケットをさらにルーティングすることと、
前記第１のトランザクションに関連付けられた前記応答パケットが前記別のノードによって送信されると決定したことに応答して、前記第１のパケットをドロップすることとをさらに備える、Ｃ１に記載の方法。
［Ｃ４］  前記クエリパケットが、
クエリの指示と、
前記第１のネクストホップノードの少なくとも１つの第１のアドレスと、
ノードのグループの少なくとも１つの第２のアドレスと
を含み、
ここにおいて、前記第１のパケットが前記クエリパケットであるという前記決定は、前記クエリの前記指示に基づき、
ここにおいて、前記第１のノードが前記第１のネクストホップノードであるという前記決定は、前記第１のアドレスに基づき、
ここにおいて、前記別のノードがノードの前記グループ中にある、
Ｃ３に記載の方法。
［Ｃ５］  前記応答パケットが、
応答の指示と、
前記第１のトランザクションの指示と
を含み、
ここにおいて、前記第１のトランザクションに関連付けられた前記応答パケットが送信されるかどうかの前記決定は、受信された下位レイヤパケットが応答の前記指示と前記第１のトランザクションの前記指示とを含んでいるかどうかを決定することに基づいて行われる、
Ｃ３に記載の方法。
［Ｃ６］  下位レイヤにおいて、前記第１のノードが、前記第１のパケット含まれる上位レイヤパケットに関連付けられた前記第１のネクストホップノードであると決定することをさらに備える、Ｃ１に記載の方法。
［Ｃ７］  少なくとも１つの第２のパケットを受信することを試みることと、
前記少なくとも１つの第２のパケットを受信したことに応答して、前記少なくとも１つの第２のパケットが、前記第１のトランザクションに関連付けられた応答パケットを含むかどうかを決定することと、
前記少なくとも１つの第２のパケットを受信しなかったことに応答して、または、前記少なくとも１つの第２のパケットが、前記第１のトランザクションに関連付けられた応答パケットを含まないと決定したことに応答して、前記第１のパケット中に含まれる前記上位レイヤパケットを上位レイヤに送ることと、
前記少なくとも１つの第２のパケットが、前記第１のトランザクションに関連付けられた応答パケットを含むと決定したことに応答して、（ａ）前記第１のパケット中に含まれる前記上位レイヤパケットを前記上位レイヤに送ることを控えること、または、（ｂ）前記上位レイヤから受信された応答パケットを前記第２のノードに送ることを控えることとをさらに備える、Ｃ６に記載の方法。
［Ｃ８］  前記少なくとも１つの第２のパケットを受信することを前記試みることが、事前構成された時間期間Ｔ中で実行され、前記方法は、前記第１のノードが前記第１のネクストホップノードであると決定したことに応答して、前記下位レイヤにおいて、前記事前構成された時間期間Ｔ中に前記第１のパケットをバッファすることをさらに備える、Ｃ７に記載の方法。
［Ｃ９］  前記第１のパケットが第１のチャネル上で受信され、ここにおいて、前記少なくとも１つの第２のパケットを受信することを前記試みることが、前記第１のチャネル上で実行される、Ｃ７に記載の方法。
［Ｃ１０］  前記上位レイヤにおいて前記上位レイヤパケットを受信すると、前記上位レイヤパケットに関連付けられた第２のネクストホップノードを決定することと、
前記下位レイヤにおいて、前記上位レイヤパケットを第３のパケット中に含めることと、
前記上位レイヤパケットに関連付けられた前記第２のネクストホップノードに前記第３のパケットを第２のチャネル上で送信することと
をさらに備える、Ｃ９に記載の方法。
［Ｃ１１］  通信のための装置であって、前記装置が第１のノードであり、
第２のノードから第１のパケットを受信するための手段と、
前記第１のパケットが、応答パケットを要求する、第１のトランザクションに関連付けられたクエリパケットであると決定するための手段と、
前記第１のノードが、前記第１のパケットに関連付けられた第１のネクストホップノードであると決定するための手段と、
前記クエリパケットがローカル探査のための指示を含むと決定するための手段と、
前記第１のパケットをさらにルーティングすることを遅延させるための手段と
を備える、装置。
［Ｃ１２］  前記第１のパケットがクエリパケットであると決定するための前記手段は、下位レイヤにおいて前記決定を実行するように構成され、ここにおいて、前記下位レイヤが、物理（ＰＨＹ）レイヤ、媒体アクセス制御（ＭＡＣ）レイヤ、またはリンクレイヤである、Ｃ１１に記載の装置。
［Ｃ１３］  前記第１のノードが、前記第１のパケットに関連付けられた前記第１のネクストホップノードであると決定したことに応答して、前記第１のパケットをさらにルーティングすることを遅延させるための手段と、
前記第１のトランザクションに関連付けられた応答パケットが別のノードによって送信されるかどうかを決定するための手段と、
前記第１のトランザクションに関連付けられた前記応答パケットが前記別のノードによって送信されないと決定したことに応答して、前記第１のパケットをさらにルーティングするための手段と、
前記第１のトランザクションに関連付けられた前記応答パケットが前記別のノードによって送信されると決定したことに応答して、前記第１のパケットをドロップするための手段と
をさらに備える、Ｃ１１に記載の装置。
［Ｃ１４］  前記クエリパケットが、
クエリの指示と、
前記第１のネクストホップノードの少なくとも１つの第１のアドレスと、
ノードのグループの少なくとも１つの第２のアドレスと
を含み、
ここにおいて、前記第１のパケットが前記クエリパケットであるという前記決定は、前記クエリの前記指示に基づき、
ここにおいて、前記第１のノードが前記第１のネクストホップノードであるという前記決定は、前記第１のアドレスに基づき、
ここにおいて、前記別のノードがノードの前記グループ中にある、
Ｃ１３に記載の装置。
［Ｃ１５］  前記応答パケットが、
応答の指示と、
前記第１のトランザクションの指示と
を含み、
ここにおいて、前記第１のトランザクションに関連付けられた前記応答パケットが送信されるかどうかの前記決定は、受信された下位レイヤパケットが応答の前記指示と前記第１のトランザクションの前記指示とを含んでいるかどうかを決定することに基づいて行われる、
Ｃ１３に記載の装置。
［Ｃ１６］  下位レイヤにおいて、前記第１のノードが、前記第１のパケット含まれる上位レイヤパケットに関連付けられた前記第１のネクストホップノードであると決定するための手段をさらに備える、Ｃ１１に記載の装置。
［Ｃ１７］  少なくとも１つの第２のパケットを受信することを試みるための手段と、
前記少なくとも１つの第２のパケットを受信したことに応答して、前記少なくとも１つの第２のパケットが、前記第１のトランザクションに関連付けられた応答パケットを含むかどうかを決定するための手段と、
前記少なくとも１つの第２のパケットを受信しなかったことに応答して、または、前記少なくとも１つの第２のパケットが、前記第１のトランザクションに関連付けられた応答パケットを含まないと決定したことに応答して、前記第１のパケット中に含まれる前記上位レイヤパケットを上位レイヤに送るための手段と、
（ａ）前記少なくとも１つの第２のパケットが、前記第１のトランザクションに関連付けられた応答パケットを含むと決定したことに応答して、前記第１のパケット中に含まれる前記上位レイヤパケットを前記上位レイヤに送ることを控えること、または、（ｂ）前記少なくとも１つの第２のパケットが、前記第１のトランザクションに関連付けられた応答パケットを含むと決定したことに応答して、前記上位レイヤから受信された応答パケットを前記第２のノードに送ることを控えることを行うための手段と
をさらに備える、Ｃ１６に記載の装置。
［Ｃ１８］  前記少なくとも１つの第２のパケットを受信することを前記試みることが、事前構成された時間期間Ｔ中で実行され、前記装置は、前記第１のノードが前記第１のネクストホップノードであると決定したことに応答して、前記下位レイヤにおいて、前記事前構成された時間期間Ｔ中に前記第１のパケットをバッファするための手段をさらに備える、Ｃ１７に記載の装置。
［Ｃ１９］  前記第１のパケットが第１のチャネル上で受信され、ここにおいて、前記少なくとも１つの第２のパケットを受信することを前記試みることが、前記第１のチャネル上で実行される、Ｃ１７に記載の装置。
［Ｃ２０］  前記上位レイヤにおいて前記上位レイヤパケットを受信すると、前記上位レイヤパケットに関連付けられた第２のネクストホップノードを決定するための手段と、
前記下位レイヤにおいて、前記上位レイヤパケットを第３のパケット中に含めるための手段と、
前記上位レイヤパケットに関連付けられた前記第２のネクストホップノードに前記第３のパケットを第２のチャネル上で送信するための手段と
をさらに備える、Ｃ１９に記載の装置。
［Ｃ２１］  通信のための装置であって、前記装置が第１のノードであり、
メモリと、
前記メモリに結合された少なくとも１つのプロセッサと
を備え、前記少なくとも１つのプロセッサは、
第２のノードから第１のパケットを受信することと、
前記第１のパケットが、応答パケットを要求する、第１のトランザクションに関連付けられたクエリパケットであると決定することと、
前記第１のノードが、前記第１のパケットに関連付けられた第１のネクストホップノードであると決定することと、
前記クエリパケットがローカル探査のための指示を含むと決定することと、
前記第１のパケットをさらにルーティングすることを遅延させることと
を行うように構成された、装置。
［Ｃ２２］  前記少なくとも１つのプロセッサは、
前記第１のノードが、前記第１のパケットに関連付けられた前記第１のネクストホップノードであると決定したことに応答して、前記第１のパケットをさらにルーティングすることを遅延させることと、
前記第１のトランザクションに関連付けられた応答パケットが別のノードによって送信されるかどうかを決定することと、
前記第１のトランザクションに関連付けられた前記応答パケットが前記別のノードによって送信されないと決定したことに応答して、前記第１のパケットをさらにルーティングすることと、
前記第１のトランザクションに関連付けられた前記応答パケットが前記別のノードによって送信されると決定したことに応答して、前記第１のパケットをドロップすることとを行うようにさらに構成された、Ｃ２１に記載の装置。
［Ｃ２３］  前記クエリパケットが、
クエリの指示と、
前記第１のネクストホップノードの少なくとも１つの第１のアドレスと、
ノードのグループの少なくとも１つの第２のアドレスと
を含み、
ここにおいて、前記第１のパケットが前記クエリパケットであるという前記決定は、前記クエリの前記指示に基づき、
ここにおいて、前記第１のノードが前記第１のネクストホップノードであるという前記決定は、前記第１のアドレスに基づき、
ここにおいて、前記別のノードがノードの前記グループ中にある、
Ｃ２２に記載の装置。
［Ｃ２４］  前記応答パケットが、
応答の指示と、
前記第１のトランザクションの指示と
を含み、
ここにおいて、前記第１のトランザクションに関連付けられた前記応答パケットが送信されるかどうかの前記決定は、受信された下位レイヤパケットが応答の前記指示と前記第１のトランザクションの前記指示とを含んでいるかどうかを決定することに基づいて行われる、
Ｃ２２に記載の装置。
［Ｃ２５］  前記少なくとも１つのプロセッサは、下位レイヤにおいて、前記第１のノードが、前記第１のパケット含まれる上位レイヤパケットに関連付けられた前記第１のネクストホップノードであると決定するようにさらに構成された、Ｃ２１に記載の装置。
［Ｃ２６］  前記少なくとも１つのプロセッサは、
少なくとも１つの第２のパケットを受信することを試みることと、
前記少なくとも１つの第２のパケットを受信したことに応答して、前記少なくとも１つの第２のパケットが、前記第１のトランザクションに関連付けられた応答パケットを含むかどうかを決定することと、
前記少なくとも１つの第２のパケットを受信しなかったことに応答して、または、前記少なくとも１つの第２のパケットが、前記第１のトランザクションに関連付けられた応答パケットを含まないと決定したことに応答して、前記第１のパケット中に含まれる前記上位レイヤパケットを上位レイヤに送ることと、
前記少なくとも１つの第２のパケットが、前記第１のトランザクションに関連付けられた応答パケットを含むと決定したことに応答して、（ａ）前記第１のパケット中に含まれる前記上位レイヤパケットを前記上位レイヤに送ることを控えること、または、（ｂ）前記上位レイヤから受信された応答パケットを前記第２のノードに送ることを控えることとを行うようにさらに構成された、Ｃ２５に記載の装置。
［Ｃ２７］  前記少なくとも１つのプロセッサは、
事前構成された時間期間Ｔ中で前記少なくとも１つの第２のパケットを受信することを試みることと、
前記第１のノードが前記第１のネクストホップノードであると決定したことに応答して、前記下位レイヤにおいて、前記事前構成された時間期間Ｔ中に前記第１のパケットをバッファすることと
を行うようにさらに構成された、Ｃ２６に記載の装置。
［Ｃ２８］  前記第１のパケットが第１のチャネル上で受信され、ここにおいて、前記少なくとも１つの第２のパケットを受信することを前記試みることが、前記第１のチャネル上で実行され、ここにおいて、前記少なくとも１つのプロセッサは、
前記上位レイヤにおいて前記上位レイヤパケットを受信すると、前記上位レイヤパケットに関連付けられた第２のネクストホップノードを決定することと、
前記下位レイヤにおいて、前記上位レイヤパケットを第３のパケット中に含めることと、
前記上位レイヤパケットに関連付けられた前記第２のネクストホップノードに前記第３のパケットを第２のチャネル上で送信することと
を行うようにさらに構成された、Ｃ２６に記載の装置。
［Ｃ２９］  第１のノードにおける通信の方法であって、
応答パケットを要求する、第１のトランザクションに関連付けられたクエリパケットを構築することと、ここにおいて、前記クエリパケットは、ローカル探査のための指示とターゲット要求のための指示とを含み、
複数のローカルノードと共有されるチャネル上で前記クエリパケットを送信することとを備える、方法。
［Ｃ３０］  前記クエリパケットが、
クエリの指示と、
前記第１のトランザクションの指示と、
前記ターゲット要求に関連付けられたネクストホップノードの少なくとも１つの第１のアドレスと、
前記ローカル探査に関連付けられたノードのグループの少なくとも１つの第２のアドレスと
を含む、Ｃ２９に記載の方法。